(57)【要約】【課題】従来のレンジフードでは、フィルターが円板形状であるために回転しても付着した油や塵が除去されにくく、除去に必要な消費電力は大きくなる。【解決手段】図３に示すように、円筒面１５を形成したフィルター７を回転させる構成や、送風ファン６の逆回転やターボファン用ブレード２２を設けた構成により、フィルター７に付着した油や塵に遠心力や送風による抗力を作用させて短時間で効果的に除去してフィルター７の目詰まりを防止できる。【選択図】図３
2008232528.tif 000002
【特許請求の範囲】
【請求項１】
送風手段とフィルターを備え、前記フィルターは円筒面を形成しており、前記送風手段を動作すると調理時に発生する油煙などを含んだ空気が前記フィルターの円筒面の外側から内側に貫流したのちに前記フィルター円筒面の中心軸方向の軸方向端面から流出して排気される構成を有し、前記フィルターを一定時間回転させることを特徴とするレンジフード。
【請求項２】
フィルター円筒面中心軸方向の片側の軸方向端面は閉口しており、反対側の軸方向端面は開口していることを特徴とする請求項１記載のレンジフード。
【請求項３】
フィルターの円筒面の直径が送風手段の吸込口の直径よりも大きく、フィルターの円筒面の面積が前記送風手段の吸込口の面積よりも大きいことを特徴とする請求項１または２記載のレンジフード。
【請求項４】
フィルターの円筒面の中心軸が重力方向と略一致させてレンジフードの水平面中央に配置し、前記フィルターの開口している軸方向端面が上側に配置され、前記フィルターの円筒面の外側に間隔をあけて囲むように形成された油受けを設けたことを特徴とする請求項２または３記載のレンジフード。
【請求項５】
油受けはフィルターの円筒面の外周側ならびに前記フィルターの下方側を、間隔をあけて囲むように形成されており、前記油受けの前記フィルター下方中央部にあたる部分に空気吸込口を設けたことを特徴とする請求項４記載のレンジフード。
【請求項６】
フィルター下側の閉口している軸方向端面の円筒面の外側に円板を設けたことを特徴とする請求項５記載のレンジフード。
【請求項７】
油受けはフィルターの円筒面の外側ならびに前記フィルターの下側を、間隔をあけて囲むように形成され、前記油受けの水平方向外周側には前記油受けを囲むようにガイド板を設けて空気吸込口を形成しており、前記空気吸込口から吸い込まれた空気は前記ガイド板に沿って前記油受けの外側側面を上昇したのち、前記油受けの上端を越え前記フィルターの円筒面外側に誘引されることを特徴とする請求項５記載のレンジフード。
【請求項８】
空気吸込口が油受けの外周側すべてを囲んだ円筒形であることを特徴とする請求項７記載のレンジフード。
【請求項９】
フィルターの円筒面の中心軸と送風手段の回転軸を連結手段で連結し、前記連結手段は前記送風手段を逆回転した場合のみ接続されて前記フィルターが回転する機構であることを特徴とする請求項１から８のいずれか記載のレンジフード。
【請求項１０】
送風手段がシロッコファンであることを特徴とする請求項９記載のレンジフード。
【請求項１１】
フィルターの円筒面の内側に回転軸を共有したターボファン用ブレードを複数枚備えたことを特徴とする請求項１から１０のいずれか記載のレンジフード。
【請求項１２】
フィルターに存在する固有振動数が、前記フィルターを一定時間回転させる回転周波数よりも低いことを特徴とする請求項１から１１のいずれか記載のレンジフード。
【請求項１３】
油受けで受け止められた油や塵などを集めて溜めておく油溜を設け、油溜は着脱自在であることを特長とする請求項３から１１のいずれか記載のレンジフード。
【請求項１４】
送風手段の停止操作によって一定時間フィルターを回転させることを特徴とする請求項１から１３のいずれか記載のレンジフード。
【請求項１５】
フィルターと送風手段の間の通風路内に大気圧との圧力差を検知する手段を設け、前記フィルターに油や塵が大量に付着して圧力差が大きくなった場合に前記フィルターを回転させることを特徴とする請求項１から１４のいずれか記載のレンジフード。
【請求項１６】
油溜に一定量以上の油が溜まったことを表示する表示手段を設けたことを特徴とする請求項１３から１５のいずれか記載のレンジフード。
【請求項１７】
油溜に一定量以上の油が溜まると他の条件が満たされてもフィルターが回転しないようにしたことを特徴とする請求項１６記載のレンジフード。
【発明の詳細な説明】
【技術分野】
【０００１】
本発明は、例えば、調理時にレンジから発生する油煙や塵ゴミ、臭い、排気ガスなどを排気するレンジフードに関するものである。
【背景技術】
【０００２】
レンジフードには、調理の時に発生する油や塵などを取り除くためのフィルターが設けられている。
【０００３】
従来、この種のレンジフードに用いられるフィルターは、油や塵などが付着すると目詰まりを発生して排気効率低下の原因となるため、フィルターの掃除や洗浄などが必要であった。そこで、フィルターを自動的に回転可能としてフィルターの回転による遠心力で目詰まりの原因となる油や塵を除去するものがある。（例えば特許文献１参照）  以下、そのレンジフードについて図５を参照しながら説明する。
【０００４】
図に示すように、１０１は厨房内に張り出したフード、１０２は網状のフィルター、１０３は排気口に設けられたファン、１０４は加熱調理器、１０５及び１０６はファン１０３及びフィルター１０２の駆動装置で、フィルター１０２は、その中心に駆動装置１０６の回転軸が固着されて、回転するように配置されている。１０７はフィルター１０２の周囲に設けられた廃棄物受け、１０８はフィルター１０２の上方に設けられた汚れ度検出用のセンサーである。この構成において、ファン１０３を回転させるとレンジから発生する油煙や塵ゴミなどが室内から排出され、フィルター１０２には油や塵などが付着する。汚れ検出のセンサー１０８によって空気の汚れ度を検出し、フィルター１０２の汚れを検知した場合、フィルター用である駆動装置１０６を自動的に一定時間駆動する。フィルター１０２の回転の遠心力によって油や塵は除去されフィルター１０２の目詰まりは解消する。また油や塵は廃棄物受け１０９に集められる。
【特許文献１】特許第２９９５７６７号公報
【発明の開示】
【発明が解決しようとする課題】
【０００５】
このような従来のレンジフードでは、フィルターが円板形状であるために、中央部と外周部に作用する遠心力に差異があり、中央部に付着した油や塵は除去されにくい。また、中央部に付着した油や塵を遠心力で外周側まで導いて完全に除去して目詰まりを防止するためにはフィルターを高速で長時間回転させる必要があり、除去に必要な消費電力は大きくなる。別の手段としてフィルターにヒーターを付加して遠心力で除去できない油や塵を焼却するとしても、フィルターの温度を焼却できるまで上昇するにはヒーターに通電する消費電力は非常に大きいという課題がある。
【０００６】
本発明は、このような従来の課題を解決するものであり、円筒面を形成したフィルターを回転させる構成や、送風手段の逆回転や遠心送風用羽根を設けた構成により、フィルターに付着した油や塵に遠心力に加えて送風による抗力を作用させ、ヒーターなど消費電力が大きな補助手段を用いることなく短時間で効果的に除去して目詰まりを防止できるレンジフードを提供することを目的としている。
【課題を解決するための手段】
【０００７】
本発明のレンジフードは、上記目的を達成するために、送風手段とフィルターを備え、前記フィルターは円筒面を形成しており、前記送風手段を動作すると調理時に発生する油煙などを含んだ空気が前記フィルターの円筒面の外側から内側に貫流したのちに前記フィルター円筒面の中心軸方向の軸方向端面から流出して排気される構成を有し、前記フィルターを一定時間回転させることを特徴としたものである。
【０００８】
この手段により、フィルターの円筒面に付着した油や塵は、フィルターを回転すると遠心力が作用して外周方向に飛散しフィルター円筒面から除去される。このとき、油や塵はすべて同一の円筒面上に付着しているため、作用する遠心力は同等であり、回転開始から飛散までの時間は付着している場所による差異はほとんどなく、短時間で効果的に除去され目詰まりが防止できる。また、円筒面上で遠心力が作用するため、油や塵は遠心力を受けるとフィルターの他の位置に移動することなく空間に飛散する。
【０００９】
また、フィルター円筒面中心軸方向の片側の軸方向端面は閉口しており、反対側の軸方向端面は開口していることにより、フィルター円筒面の外側から内側に貫流したのちの流れが一方向となり、乱れのない安定した流れを形成できるとともに送風手段への通風路も簡単な構成にできる。
【００１０】
また、フィルターの円筒面の直径が送風手段の吸込口の直径よりも大きく、フィルターの円筒面の面積が前記送風手段の吸込口の面積よりも大きいことにより、フィルターを通過する際の圧力損失を小さくすることができる。
【００１１】
また、フィルターの円筒面の中心軸が重力方向と略一致させてレンジフードの水平面中央に配置し、前記フィルターの開口している軸方向端面が上側に配置され、前記フィルターの円筒面の外側に間隔をあけて囲むように形成された油受けを設けたことにより、フィルター円筒面の外側から内側に貫流したのちの流れが垂直上方向となり、熱気を含んだ上昇流に逆らわず安定した流れを形成できるとともに、油受けによって飛散した油や塵を受け止めることができる。
【００１２】
また、油受けはフィルターの円筒面の外周側ならびに前記フィルターの下方側を、間隔をあけて囲むように形成されており、前記油受けの前記フィルター下方中央部にあたる部分に空気吸込口を設けたことにより、  レンジから上昇した油煙などを含んだ空気が空気吸込口から吸い込まれたのちに、水平方向に拡散しながらフィルター円筒面の全周に偏ることなく均等に吸込むことができるため、捕集漏れが少なくなる。
【００１３】
また、フィルター下側の閉口している軸方向端面の円筒面の外側に円板を設けたことを特徴とすることにより、フィルターの円筒面に付着した油や塵の量が多く、フィルターを回転して飛散させる前に、重力による作用が働き円筒面の下方に垂れることがあっても円板上にいったん留まるため、フィルターから落下してレンジや調理器具などを汚染することを防止できる。
【００１４】
また、油受けはフィルターの円筒面の外側ならびに前記フィルターの下側を、間隔をあけて囲むように形成され、前記油受けの水平方向外周側には前記油受けを囲むようにガイド板を設けて空気吸込口を形成しており、前記空気吸込口から吸い込まれた空気は前記ガイド板に沿って前記油受けの外側側面を上昇したのち、前記油受けの上端を越え前記フィルターの円筒面外側に誘引されることを特徴とすることにより、レンジフード水平面中央から外周側に空気吸込口が配置されることになり、レンジのどの位置から油煙などを含んだ空気が上昇しても捕集漏れを少なく吸い込むことができ、吸い込まれたのちも熱気を含んだ上昇流に逆らわず安定した流れを形成できる。また、下面で拡散しようとしても円筒形の空気吸込み口によって効果的に捕集することができる。
【００１５】
また、空気吸込口が油受けの外周側すべてを囲んだ円筒形であることを特徴とすることにより、レンジから上昇した油煙などを含んだ空気がレンジフード下面で水平方向に拡散しようとしても円筒形の空気吸込口から偏ることなく均等に吸込むことができるため、捕集漏れが少なくなる。
【００１６】
また、フィルターの円筒面の中心軸と送風手段の回転軸を連結手段で連結し、前記連結手段は前記送風手段を逆回転した場合のみ接続されて前記フィルターが回転する機構であることを特徴とすることにより、フィルターの回転手段として送風手段の動力を兼用することができるため、通風路内で気流の抵抗となるものが減ったため通風路内部の圧力損失が減少すると同時に、低コスト化が図れる。
【００１７】
また、送風手段がシロッコファンであることを特徴とすることにより、フィルターを回転するときにはシロッコファンが逆回転することで、前向きブレードが後ろ向きブレードのターボファンとして作用するため、ブレードに付着している油や塵を遠心力によって除去できるという効果が得られる。
【００１８】
また、フィルターの円筒面の内側に回転軸を共有したターボファン用ブレードを複数枚備えたことを特徴とすることにより、フィルターを回転するときには、フィルターに付着している油や塵に遠心力に加えて送風による抗力が作用するため、効果的に除去することができる。
【００１９】
また、フィルターに存在する固有振動数が、前記フィルターを一定時間回転させる回転周波数よりも低いことを特徴とすることにより、フィルターを回転させると停止状態から回転数が上昇する途中でフィルターの固有振動数を通過するため、一時的に振動レベルが大きくなり、フィルターの回転を停止するときには、回転数が減少する途中で再びフィルターの固有振動数を通過するため、一時的に振動レベルが大きくなる。振動レベルが大きくなると、その振動がフィルターに付着している油や塵に伝わり、効果的に除去することができる。
【００２０】
また、油受けで受け止められた油や塵などを集めて溜めておく油溜を設け、油溜は着脱自在であることを特長とすることにより、フィルターの回転によって油受けで受け止められた油や塵を油溜に集めることが可能となり、送風手段の運転やフィルターの回転によって再飛散することがなくなるとともに、油溜を外して溜まった油や塵を簡単に廃棄することができる。
【００２１】
また、送風手段の停止操作によって一定時間フィルターを回転させることを特徴とすることにより、使用者はメンテナンスを意識せずとも、日常の動作により自動的にフィルターの目詰まりを防止することが可能であり、送風手段の運転停止の都度、フィルターの回転を行うためフィルターの目詰まり最小限に抑えることが可能である。
【００２２】
また、フィルターと送風手段の間の通風路内に大気圧との圧力差を検知する手段を設け、前記フィルターに油や塵が大量に付着して圧力差が大きくなった場合に前記フィルターを回転させることを特徴とすることにより、フィルターが目詰まりしているかどうかを常時に検知することで、無駄なフィルターの回転を行うことがなくなるため、消費電力を低減できる。
【００２３】
また、油溜に一定量以上の油が溜まったことを表示する表示手段を設けたことを特徴とすることにより、使用者が油や塵が油溜に溜まっていることを認識できると同時に廃棄を喚起することができる。
【００２４】
また、油溜に一定量以上の油が溜まると他の条件が満たされてもフィルターが回転しないようにしたことを特徴とすることにより、油や塵が油溜に溜まることを抑制し、油溜から油や塵が溢れて周囲を汚すことを防止できる。
【発明の効果】
【００２５】
本発明によれば、円筒面を形成したフィルターを回転させる構成や、送風手段の逆回転や遠心送風用羽根を設けた構成により、フィルターに付着した油や塵に遠心力に加えて送風による抗力を作用させ、短時間で効果的に除去して目詰まりを防止できるレンジフードを提供することができる。また、レンジフード本来の送風運転に伴ってフィルターの回転を効果的に行うため、使用者の意識に関わらず日常の動作の中で自動的にフィルターの目詰まり防止ができメンテナンス作業の簡単なレンジフードを提供することができる。
【発明を実施するための最良の形態】
【００２６】
本発明の請求項１記載のレンジフードは、送風手段とフィルターを備え、前記フィルターは円筒面を形成しており、前記送風手段を動作すると調理時に発生する油煙などを含んだ空気が前記フィルターの円筒面の外側から内側に貫流したのちに前記フィルター円筒面の中心軸方向の軸方向端面から流出して排気される構成を有し、前記フィルターを一定時間回転させることを特徴としたものであり、フィルターの円筒面に付着した油や塵は、フィルターを回転すると遠心力が作用して外周方向に飛散しフィルター円筒面から除去される。このとき、油や塵はすべて同一の円筒面上に付着しているため、作用する遠心力は同等であり、回転開始から飛散までの時間は付着している場所による差異はほとんどなく、短時間で効果的に除去され目詰まりが防止できる。また、円筒面上で遠心力が作用するため、油や塵は遠心力を受けるとフィルターの他の位置に移動することなく空間に飛散するという作用を有する。
【００２７】
本発明の請求項２記載のレンジフードは、請求項１記載のレンジフードにおいて、フィルター円筒面中心軸方向の片側の軸方向端面は閉口しており、反対側の軸方向端面は開口していることにより、フィルター円筒面の外側から内側に貫流したのちの流れが一方向となり、乱れのない安定した流れを形成できるとともに送風手段への通風路も簡単な構成にできるという作用を有する。
【００２８】
本発明の請求項３記載のレンジフードは、請求項１または２記載のレンジフードにおいて、フィルターの円筒面の直径が送風手段の吸込口の直径よりも大きく、フィルターの円筒面の面積が前記送風手段の吸込口の面積よりも大きいことにより、フィルターを通過する際の圧力損失を小さくすることができるという作用を有する。
【００２９】
本発明の請求項４記載のレンジフードは、請求項２または３記載のレンジフードにおいて、フィルターの円筒面の中心軸が重力方向と略一致させてレンジフードの水平面中央に配置し、前記フィルターの開口している軸方向端面が上側に配置され、前記フィルターの円筒面の外側に間隔をあけて囲むように形成された油受けを設けたことにより、フィルター円筒面の外側から内側に貫流したのちの流れが垂直上方向となり、熱気を含んだ上昇流に逆らわず安定した流れを形成できるとともに、油受けによって飛散した油や塵を受け止めることができるという作用を有する。
【００３０】
本発明の請求項５記載のレンジフードは、請求項４記載のレンジフードにおいて、油受けはフィルターの円筒面の外周側ならびに前記フィルターの下方側を、間隔をあけて囲むように形成されており、前記油受けの前記フィルター下方中央部にあたる部分に空気吸込口を設けたことにより、  レンジから上昇した油煙などを含んだ空気が空気吸込口から吸い込まれたのちに、水平方向に拡散しながらフィルター円筒面の全周に偏ることなく均等に吸込むことができるため、捕集漏れが少なくなるという作用を有する。
【００３１】
本発明の請求項６記載のレンジフードは、請求項５記載のレンジフードにおいて、フィルター下側の閉口している軸方向端面の円筒面の外側に円板を設けたことを特徴とすることにより、フィルターの円筒面に付着した油や塵の量が多く、フィルターを回転して飛散させる前に、重力による作用が働き円筒面の下方に垂れることがあっても円板上にいったん留まるため、フィルターから落下してレンジや調理器具などを汚染することを防止できるという作用を有する。
【００３２】
本発明の請求項７記載のレンジフードは、請求項５記載のレンジフードにおいて、油受けはフィルターの円筒面の外側ならびに前記フィルターの下側を、間隔をあけて囲むように形成され、前記油受けの水平方向外周側には前記油受けを囲むようにガイド板を設けて空気吸込口を形成しており、前記空気吸込口から吸い込まれた空気は前記ガイド板に沿って前記油受けの外側側面を上昇したのち、前記油受けの上端を越え前記フィルターの円筒面外側に誘引されることを特徴とすることにより、レンジフード水平面中央から外周側に空気吸込口が配置されることになり、レンジのどの位置から油煙などを含んだ空気が上昇しても捕集漏れを少なく吸い込むことができ、吸い込まれたのちも熱気を含んだ上昇流に逆らわず安定した流れを形成できる。また、下面で拡散しようとしても円筒形の空気吸込み口によって効果的に捕集することができるという作用を有する。
【００３３】
本発明の請求項８記載のレンジフードは、請求項７記載のレンジフードにおいて、空気吸込口が油受けの外周側すべてを囲んだ円筒形であることを特徴とすることにより、レンジから上昇した油煙などを含んだ空気がレンジフード下面で水平方向に拡散しようとしても円筒形の空気吸込口から偏ることなく均等に吸込むことができるため、捕集漏れが少なくなるという作用を有する。
【００３４】
本発明の請求項９記載のレンジフードは、請求項１から８いずれか記載のレンジフードにおいて、フィルターの円筒面の中心軸と送風手段の回転軸を連結手段で連結し、前記連結手段は前記送風手段を逆回転した場合のみ接続されて前記フィルターが回転する機構であることを特徴とすることにより、フィルターの回転手段として送風手段の動力を兼用することができるため、通風路内で気流の抵抗となるものが減ったため通風路内部の圧力損失が減少すると同時に、低コスト化が図れるという作用を有する。
【００３５】
本発明の請求項１０記載のレンジフードは、請求項９記載のレンジフードにおいて、送風手段がシロッコファンであることを特徴とすることにより、フィルターを回転するときにはシロッコファンが逆回転することで、前向きブレードが後ろ向きブレードのターボファンとして作用するため、ブレードに付着している油や塵を遠心力によって除去できるという効果が得られるという作用を有する。
【００３６】
本発明の請求項１１記載のレンジフードは、請求項１から１０いずれか記載のレンジフードにおいて、フィルターの円筒面の内側に回転軸を共有したターボファン用ブレードを複数枚備えたことを特徴とすることにより、フィルターを回転するときには、フィルターに付着している油や塵に遠心力に加えて送風による抗力が作用するため、効果的に除去することができるという作用を有する。
【００３７】
本発明の請求項１２記載のレンジフードは、請求項１から１１いずれか記載のレンジフードにおいて、フィルターに存在する固有振動数が、前記フィルターを一定時間回転させる回転周波数よりも低いことを特徴とすることにより、フィルターを回転させると停止状態から回転数が上昇する途中でフィルターの固有振動数を通過するため、一時的に振動レベルが大きくなり、フィルターの回転を停止するときには、回転数が減少する途中で再びフィルターの固有振動数を通過するため、一時的に振動レベルが大きくなる。振動レベルが大きくなると、その振動がフィルターに付着している油や塵に伝わり、効果的に除去することができるという作用を有する。
【００３８】
本発明の請求項１３記載のレンジフードは、請求項３から１１いずれか記載のレンジフードにおいて、油受けで受け止められた油や塵などを集めて溜めておく油溜を設け、油溜は着脱自在であることを特長とすることにより、フィルターの回転によって油受けで受け止められた油や塵を油溜に集めることが可能となり、送風手段の運転やフィルターの回転によって再飛散することがなくなるとともに、油溜を外して溜まった油や塵を簡単に廃棄することができるという作用を有する。
【００３９】
本発明の請求項１４記載のレンジフードは、請求項１から１３いずれか記載のレンジフードにおいて、送風手段の停止操作によって一定時間フィルターを回転させることを特徴とすることにより、使用者はメンテナンスを意識せずとも、日常の動作により自動的にフィルターの目詰まりを防止することが可能であり、送風手段の運転停止の都度、フィルターの回転を行うためフィルターの目詰まり最小限に抑えることが可能であるという作用を有する。
【００４０】
本発明の請求項１５記載のレンジフードは、請求項１から１４いずれか記載のレンジフードにおいて、フィルターと送風手段の間の通風路内に大気圧との圧力差を検知する手段を設け、前記フィルターに油や塵が大量に付着して圧力差が大きくなった場合に前記フィルターを回転させることを特徴とすることにより、フィルターが目詰まりしているかどうかを常時に検知することで、無駄なフィルターの回転を行うことがなくなるため、消費電力を低減できるという作用を有する。
【００４１】
本発明の請求項１６記載のレンジフードは、請求項１３から１５いずれか記載のレンジフードにおいて、油溜に一定量以上の油が溜まったことを表示する表示手段を設けたことを特徴とすることにより、使用者が油や塵が油溜に溜まっていることを認識できると同時に廃棄を喚起することができるという作用を有する。
【００４２】
本発明の請求項１７記載のレンジフードは、請求項１６記載のレンジフードにおいて、油溜に一定量以上の油が溜まると他の条件が満たされてもフィルターが回転しないようにしたことを特徴とすることにより、油や塵が油溜に溜まることを抑制し、油溜から油や塵が溢れて周囲を汚すことを防止できるという作用を有する。
【００４３】
以下、本発明の実施の形態について図面を参照しながら説明する。
【００４４】
（実施の形態１）
図１は実施の形態１の全体側面断面図、図２はフィルターの側面断面図である。図１に示すように、レンジフード１は矩形ボックス状のフード２を有しており、調理を行うレンジ３の垂直上方を覆うように設置されている。フード２の内部には送風手段としての軸流形式の羽根４を送風用モーター５に連結した送風ファン６が屋外に空気を排気するように設置されている。フード２の下面側中央部には円筒形状を有するフィルター７にフィルター用モーター８が連結されフィルター７の円筒面１５の中心軸が重力方向と一致するよう配置されている。フィルター７の周囲にはフィルター７の円筒面１５を覆うように油受け９が設置されており１０は空気吸込口である。フィルター７に存在する回転軸系の固有振動数はフィルター７を回転させるときの回転周波数よりも低くなるように設計されており、例えば、次のような関係となっている。
【００４５】
フィルター７の固有振動数（回転数）  ２５Ｈｚ（１５００ｍｉｎ-1）
フィルター７を回転させる回転周波数（回転数）２８Ｈｚ  （１６５０ｍｉｎ-1）
また、図２に示すようにフィルター７は上側の軸方向端面１１が開口しており、下側の軸方向端面１２にはフィルター用回転軸１３が連結されるプレート１４によって閉口している。プレート１４はフィルター７の円筒面１５の直径よりも大きい円板形状となっている。上記構成において、調理時に発生する油煙などを含んだ空気を排気する際は、図１で示すように空気吸込口１０からはいった油煙などを含んだ空気は、フィルター７の外側から内側に貫流することで油や塵がフィルター７に付着し、空気は濾過されたのち送風ファン６によって屋外に排気される。フィルター７に付着した油や塵が大量であったとき、重力によってフィルター７の円筒面１５をつたい下方向に垂れることがあるが、プレート１４の上に一時的に溜まり下方に落下することは防止される。
【００４６】
次にフィルター７に付着した油や塵を除去して目詰まりを防止する際には、フィルター用モーター８を駆動してフィルター７を回転させると、遠心力によってフィルター７やプレート１４に付着した油や塵が外周方向に飛散して除去される。このとき、フィルター用モーター８に通電すると停止状態から回転周波数が増加していく過程で、フィルター７の固有振動数と回転周波数が一致して共振現象を励起するときがあり、フィルター７の振動レベルは通常時の１０倍以上に増大するため、フィルター７は大きく揺れて付着している油や塵がふるい落とされやすくなる。その後、回転周波数は増加し、回転させる回転周波数であらかじめ設定した一定時間で回転する。
【００４７】
この一定時間は例えば３０秒から１分以内であり、フィルター表面に付着している油や塵はこの時間内で遠心力を受けて飛散することが可能である。その後、フィルター用モーターへの通電が切断されるとフィルター７の回転周波数が減少し、再度フィルター７の固有振動数と一致して振動レベルが増大するため、フィルター７に除去できずに残っていた油や塵も除去することができる。飛散した油は油受けによって捕集されるため、レンジフード１の外部やレンジ３などを汚すことはない。
【００４８】
なお、目詰まりを防止するためフィルター７の回転を行う制御手段として、送風ファン６停止後に都度回転を行う制御手段があり、使用者はメンテナンスを意識せずとも、日常の動作により自動的にフィルター７の目詰まりを防止することが可能であることと、都度、目詰まり防止を行うため、フィルター７の目詰まりを最小限に抑えることが可能である。
【００４９】
また、他にフィルター７の回転を行う制御手段として、通風路内に大気圧との圧力差を検知する手段として差圧計１６を設け、フィルターが目詰まりして圧力が大きくなり大気圧と一定の圧力差になるとフィルター７の回転を行う制御手段があり、フィルター７が目詰まりしているかどうかを常時に検知することで無駄なフィルター７の回転を行う必要がなく電力の消費を低減できるという効果が得られる。
【００５０】
（実施の形態２）
図３は実施の形態２の全体側面断面図、図４はフィルターの正面図である。なお、実施の形態１と同一部分については同一符号を付し、詳細な説明は省略する。図３に示すように、送風ファン６はシロッコファン形式の羽根４を有しており、フィルター７の円筒面１５のフィルター用回転軸１３と送風ファン６の送風ファン用回転軸１７は  同軸上にあり連結手段として例えばワンウェイクラッチ１８を介して連結されている。
【００５１】
ワンウェイクラッチ１８は送風ファン６が正回転するときには駆動力をフィルター７に伝達しないで、送風ファン６が逆回転する方向にだけ駆動力を伝達する機構をもっている。フィルター７の周囲にはフィルター７の円筒面１５の外側ならびにフィルター７の下側を、間隔をあけて囲むように油受け９が設置されており、油受け９の水平方向外周側には油受け９を囲むようにガイド板２４を設けて空気吸込口１０を形成している。油受け９の中央部には油受け９で受け止められた油や塵などを溜めておく油溜１９が設けられており、油溜１９は外周部に加工されたねじ形状などによって油受け９から簡単に着脱することができるようになっている。
【００５２】
さらに油受け９から油溜１９の内面に向かって液面センサー２０が取り付けられている。送風ファン６とフィルター７の各部寸法は以下のとおりであるため、フィルター７の円筒面１５の直径が送風ファン用吸込口２１の直径よりも大きく、フィルター７の円筒面１５の面積が送風ファン用吸込口２１の面積よりも大きいことになる。
【００５３】
フィルター７の円筒面の直径  ３０ｃｍ  高さ  １０ｃｍ  面積  ９４２ｃｍ2
送風ファン用吸込口２１の直径  ２０ｃｍ  面積  ３１４ｃｍ2
また、図４に示すようにフィルター７の円筒面１５の内側にはプレート１４上にターボファン用ブレード２２を複数枚備えており、フィルター７の目詰まりを防止するために回転するときにフィルター７の円筒面１５の内側から外側に風が流れる向きに配置されている。上記構成において、調理時に発生する油煙などを含んだ空気を排気する際は、図３で示すように空気吸込口１０から吸込まれた油煙などを含んだ空気はガイド板２４に沿って油受け９の外側側面を上昇したのち、油受け９の上端２５を越えてフィルター７の円筒面１５の外側から内側に貫流することで油や塵がフィルター７に付着し、空気は濾過されて送風ファン６によって屋外に排気される。
【００５４】
このとき、フード２の水平面中央から外周側に空気吸込口１０が配置されていることでレンジ３のどの位置から油煙などが上昇しても捕集漏れが少なくなるという効果がある。次にフィルター７に付着した油や塵を除去して目詰まりを防止する際には、送風ファン６の送風用モーター５を逆回転に駆動すると、ワンウェイクラッチ１８の作用によってフィルター７が回転する。フィルター７の円筒面１５の内側に配置されたターボファン用ブレード２２によってフィルター７の内側から外側に流れる風が発生するため、フィルター７に付着している油や塵には遠心力ならびに風による抗力の作用によって外周方向に飛散して除去される。また、シロッコファン形式の羽根４は逆回転させることでターボファンとして作用するため、羽根４に付着していた油や塵が遠心力によって外周側に飛散して除去できるという効果もある。飛散した油や塵は油受け９によって捕集されたのち油溜１９に集められる。レンジフードを何度か使用すると油や塵が油溜１９に溜まってくるが、その液量は例えばフォト・マイクロセンサを用いた液面センサー２０によって検知されており、油溜の容量の約８０％程度まで溜まったときには、表示する手段として点灯して表示する表示ランプ２３が備えられており、使用者に油の廃棄を促すようになっている。
【００５５】
さらに油溜１９から油が溢れることを防止するため、油溜１９の容量の約８０％まで溜まった場合には、他の制御方式でフィルター７の回転を行う条件がそろっていてもフィルター７の回転を行わないような制御方式が組み込まれている。
【産業上の利用可能性】
【００５６】
本発明のレンジフードは、家庭の台所や業務用厨房などの空間に浮遊する油を排気し浄化する用途として有用である。また、工場などで浮遊するオイルミストを浄化する用途などにも適用することができる。
【図面の簡単な説明】
【００５７】
【図１】本発明の実施の形態１の全体側面断面図
【図２】本発明の実施の形態１のフィルター側面断面図
【図３】本発明の実施の形態２の全体側面断面図
【図４】本発明の実施の形態２のフィルター正面図
【図５】従来の発明のレンジフードを示す断面図
【符号の説明】
【００５８】
１    レンジフード
２    フード
３    レンジ
４    羽根
５    送風用モーター
６    送風ファン
７    フィルター
８    フィルター用モーター
９    油受け
１０  空気吸込口
１１  上側の軸方向端面
１２  下側の軸方向端面
１３  フィルター用回転軸
１４  プレート
１５  円筒面
１６  差圧計
１７  送風ファン用回転軸
１８  ワンウェイクラッチ
１９  油溜
２０  液面センサー
２１  送風ファン用吸込口
２２  ターボファン用ブレード
２３  表示ランプ
２４  ガイド板
２５  上端
【図１】
2008232528.tif 000003
【図２】
2008232528.tif 000004
【図３】
2008232528.tif 000005
【図４】
2008232528.tif 000006
【図５】
2008232528.tif 000007